【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
資産情報を維持管理するための計算機システムであって、
（ａ）資産情報を受信し、ストアするように構成される１つ以上のデータベースであって、
物理的資産の資産記録をリストする資産テーブルと、
各資産記録に関する計算機可読のファイルを含む、前記資産テーブルに関連するファイルリストであって、前記ファイルが各々ユーザーによって設定可能なプライバシー属性を有するものと、
前記資産テーブル内の各資産のレコードの現在の所有者を識別するユーザーテーブルと、
から成るものと、
（ｂ）前記データベースに書き込まれるデータを受信し、データを前記データベースからユーザーに送信するための、前記データベースと作動可能に接続されるサーバーと、
（ｃ）前記データベースに読み書きするために、１つ以上のリモートユーザーを前記サーバーに作動可能に接続するユーザーコントロールコンポーネントであって、ユーザーがファイルを生成しファイル中にプライバシー属性を設定可能にするための表示を提示するものと、
（ｄ）前記プライバシー属性設定を伴うファイルの資産情報のコントロールの現在の記録所有者をプライベートに制限する資産所有権ロッキング装置と、
（ｅ）前記データベース内で識別された資産のレコードの現在の所有者を第１のユーザーから第２のユーザーに変更するように作動可能な資産所有権譲渡装置であって、前記資産のレコード所有権を第１のユーザーから第２のユーザーに変更する前に、プライベートに設定された前記プライバシー属性設定を伴う資産レコードファイルを解除するように動作可能なものと、
を含む、計算機システム。
【請求項２】
前記データベースが、不動産情報及び前記不動産に実行されたか又は実行される予定の１つ以上のプロジェクトに関連する情報を含む資産履歴情報をストアするように構成されていることを特徴とする請求項１記載のシステム。
【請求項３】
前記資産所有権ロッキング装置が、ファイルの通信を種々のユーザーのカテゴリーに制限するための計算機実行可能な１組の命令を含む請求項１又は２記載のシステム。
【請求項４】
前記資産所有権ロッキング装置が、前記資産の現在のレコード所有者によって動作され、ユーザーアクセスコントロールを、選択された資産情報へのアクセスを特定のユーザーあるいはユーザーグループに及び／又は選択されたユーザー又はユーザーグループが有するアクセスタイプを、選択された資産情報に制限するように設定するように構成されていることを特徴とする請求項１乃至３のいずれかに記載のシステム。
【請求項５】
（ａ）プロバイダーが採用されることに関心を示すそれらの機能又はプロジェクトタイプに関する指標を１つ以上のサービスプロバイダーから受信するように構成され準備されている第１の計算機と対話可能なデータ構造と、
（ｂ）前記サービスプロバイダーの代わりに作動するように提示された関連する１つ以上のサービスプロバイダーの識別を前記サービスプロバイダーから受信するように構成され準備されている第２の計算機と対話可能なデータ構造と、
を含む請求項１乃至４のいずれかに記載のシステム。
【請求項６】
（ｉ）サービスプロバイダー情報及びサービスプロバイダーに関するホームページへのリンクの少なくともいくつかを含むウェブページ、及び／又は
（ｉｉ）プロバイダーが、採用されることに関心を示すプロジェクトタイプを第１のデータ構造指標に入力することに関するインターフェース、及びプロバイダーのホームページに対応するテキストを挿入する手段、
をユーザーにサービス提供する手段を含む請求項５記載のシステム。
【請求項７】
ウェブページ上の計算機に実装されるユーザーインターフェースを介して、プロジェクト識別子と、テキスト、音声、映像データ及びユーザーの他のデータへのリンクを含む様々なタイプのデータを任意に含むプロジェクトに関連する情報とをユーザーから受信し、前記ユーザーのプロジェクト識別子、及びプロジェクトに関連する情報を１つ以上の計算機可読ファイルにストアする、プロジェクト生成モジュールを更に含む請求項５記載のシステム。
【請求項８】
更に、プロジェクト情報をアーカイブに保管するステップを円滑にするために、電子形式のプロジェクト情報をサービスプロバイダーから受信する手段を含む請求項７のシステム
【請求項９】
更に、計算機ファイルをインポートし、それらをプロジェクトに関連する情報としてプロジェクト識別子に関連付けるように利用可能なファイルインポートモジュールを含む請求項５乃至８のいずれかに記載のシステム。
【請求項１０】
前記資産テーブルがデータストア内の第１のデータ構造であって、前記資産レコードが前記資産の不動産コンポーネントの物理的位置の識別子と前記不動産の記述とを含み、前記第１のデータ構造が１つ以上の計算機アクセス可能記憶装置にストアされ前記不動産の履歴を形成するように構成されている、請求項１記載のシステム。
【請求項１１】
建築物の識別子と、前記物理的位置における建築物の設計とから成る情報を含む、データ記憶装置内の第２のデータ構造と、
前記不動産に位置する個人資産の１つ以上の品目の識別子から成る情報を含む、第３のデータ構造と、
を含み、前記第２及び第３のデータ構造が、１つ以上の計算機アクセス可能記憶装置にストアされ前記不動産の履歴を形成するように構成されている請求項１０記載のシステム。
【請求項１２】
更に、少なくともいくつかの資産履歴情報を公的アクセス可能なデータから直接的又は間接的に取得するサブシステムを含む請求項１又は請求項２記載のシステム。
【請求項１３】
データ構造内の情報の関連を第１のユーザーから第２のユーザーに変更するように計算機システムを動作させる方法であって、
前記計算機システムの１つ以上の記憶装置上の資産情報をキャプチャするステップであって、前記資産情報が複数のユーザーの複数の資産をリストする資産テーブル内に保持されており、当該キャプチャするステップが、
各資産レコードと関連する計算機可読ファイルを含む資産テーブルと関連するファイルリストであって、各ファイルが使用によって設定されるプライバシー属性を有するものと、前記資産テーブル内の各資産の現在のレコード所有者を識別するユーザーテーブルとを提供するものと、
前記資産のレコード所有権を前記第１のユーザーから第２のユーザーに移転するステップであって、資産レコードの関連を前記第１のユーザーから第２のユーザーへ変更する前に、プライベートに設定された前記プライバシー属性を有するファイルを前記資産レコードから削除するものと、
を含む方法。
【請求項１４】
前記第１のユーザーから、ファイルを生成し当該ファイルにプライバシー属性を設定する命令を受信するステップを含む、請求項１３記載の方法。
【請求項１５】
前記資産情報をキャプチャするステップが、
レコード所有者から入力を受信するステップ及び／又は公的にアクセス可能なレコードから少なくとも幾つかの前記資産情報を取得するステップを含む、請求項１３又は１４記載の方法。
【請求項１６】
更に、少なくとも前記削除された情報をアーカイブして、前記削除された情報がプライベートに維持され移転前に資産のレコード所有者だけにアクセス可能なようにするステップを含む、請求項１３乃至１５のいずれかに記載の方法。
【請求項１７】
更に、前記資産テーブルとして第１のデータ構造を生成するステップであって、前記第１のユーザーによって定義され管理されるアクセス許可に従って当該第１のデータ構造内の情報の少なくとも１部にアクセスできるユーザーの信頼済コミュニティを、前記第１のユーザーが生成可能であるもの、を含む請求項１３乃至１６のいずれかに記載の方法。
【請求項１８】
建築物の識別子と、物理的位置における前記建築物の設計とから成る情報を含む、資産エリアデータ構造と、
不動産に位置する個人資産の１つ以上の品目の識別子から成る情報を含む、財産目録データ構造と、
の内の少なくとも１つを生成するステップを含む、請求項１３乃至１７のいずれかに記載の方法。